(57)【特許請求の範囲】
【請求項１】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、
前記入力装置から入力されたユーザ情報の認証を実行し、前記ユーザの前記情報処理装置へのアクセスを許可するか否かを決定する決定手段と、
前記対象物側にいるユーザとは別のユーザが操作する前記遠隔端末から前記投影装置の電源をオンにする命令を受信したか否かを判別する第１判別手段と、
前記命令を受信したと判別された場合に、前記決定手段の決定に基づいて、前記情報処理装置へのアクセスが許可されているユーザがいるか否かを判別する第２判別手段と、
前記情報処理装置へのアクセスが許可されているユーザがいると判別された場合に、前記投影装置の電源をオンにする電源制御手段と
を備えることを特徴とする情報処理装置。
【請求項２】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、
前記入力装置から入力されたユーザ情報の認証を実行し、前記ユーザの前記情報処理装置へのアクセスを許可するか否かを決定する決定手段と、
前記対象物側にいるユーザとは別のユーザが操作する前記遠隔端末から前記投影装置の電源をオンにする命令を受信したか否かを判別する第１判別手段と、
前記命令を受信したと判別された場合に、前記決定手段の決定に基づいて、前記情報処理装置へのアクセスが許可されているユーザがいるか否かを判別する第２判別手段と、
前記情報処理装置へのアクセスが許可されているユーザがいると判別された場合に、前記遠隔端末から送信される情報を前記投影装置に送信する送信手段と
を備えることを特徴とする情報処理装置。
【請求項３】
前記送信手段は、前記情報処理装置へのアクセスが許可されているユーザがいないと判別された場合に、前記遠隔端末から送信される情報以外の情報を前記投影装置に送信することを特徴とする請求項２に記載の情報処理装置。
【請求項４】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、
前記対象物側にいるユーザを特定する第１ユーザ情報、当該第１ユーザ情報が所属するグループの情報、前記遠隔端末側にいるユーザを特定する第２ユーザ情報及び当該第２ユーザ情報が所属するグループの情報を含むデータベースを記憶する記憶手段と、
前記入力装置から入力された第１ユーザ情報の認証を実行し、前記ユーザの前記情報処理装置へのアクセスを許可するか否かを決定する決定手段と、
前記対象物側にいるユーザとは別のユーザが操作する前記遠隔端末から前記投影装置の電源をオンにする命令及び前記第２ユーザ情報を受信したか否かを判別する第１判別手段と、
前記命令及び前記第２ユーザ情報を受信したと判別された場合に、前記データベースに基づいて、前記決定手段の決定により前記情報処理装置へのアクセスが許可されているユーザの第１ユーザ情報が、前記受信された第２ユーザ情報と同一のグループに所属しているか否かを判別する第２判別手段と、
前記第１ユーザ情報が、前記第２ユーザ情報と同一のグループに所属していると判別された場合に、前記投影装置の電源をオンにする電源制御手段と
を備えることを特徴とする情報処理装置。
【請求項５】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、
前記入力装置から入力されたユーザ情報の認証を実行し、前記ユーザの前記情報処理装置へのアクセスを許可するか否かを決定する決定手段と、
前記対象物側にいるユーザとは別のユーザが操作する前記遠隔端末から前記投影装置の電源をオンにする命令を受信したか否かを判別する第１判別手段と、
前記命令を受信したと判別された場合に、前記決定手段の決定に基づいて、前記情報処理装置へのアクセスが許可されているユーザがいるか否かを判別する第２判別手段と、
前記情報処理装置へのアクセスが許可されているユーザがいると判別された場合に、前記情報処理装置へのアクセスが許可されているユーザのリストを作成する作成手段と、
当該作成されたリストを前記遠隔端末に送信する送信手段と、
前記リストの送信後、前記遠隔端末から前記投影装置の電源をオンにする命令を維持する命令を受信したか否かを判別する第３判別手段と、
前記投影装置の電源をオンにする命令を維持する命令を受信したと判別された場合に、前記投影装置の電源をオンにする電源制御手段と
を備えることを特徴とする情報処理装置。
【請求項６】
前記情報処理装置へのアクセスが許可されているユーザの全てが、前記情報処理装置からログオフした場合に、前記電源制御手段は前記投影装置の電源をオフにすることを特徴とする請求項１，４，５のいずれか１項に記載の情報処理装置。
【請求項７】
前記情報処理装置へのアクセスが許可されているユーザの全てが、前記情報処理装置からログオフした場合に、当該ユーザの全てが前記情報処理装置からログオフした旨の情報を前記遠隔端末に送信することを特徴とする請求項６に記載の情報処理装置。
【請求項８】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、
前記入力装置から入力されたユーザ情報の認証を実行し、前記ユーザの前記情報処理装置へのアクセスを許可するか否かを決定する決定手段、
前記対象物側にいるユーザとは別のユーザが操作する前記遠隔端末から前記投影装置の電源をオンにする命令を受信したか否かを判別する第１判別手段、
前記命令を受信したと判別された場合に、前記決定手段の決定に基づいて、前記情報処理装置へのアクセスが許可されているユーザがいるか否かを判別する第２判別手段、及び
前記情報処理装置へのアクセスが許可されているユーザがいると判別された場合に、前記投影装置の電源をオンにする電源制御手段
として機能させることを特徴とするプログラム。
【請求項９】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、
前記入力装置から入力されたユーザ情報の認証を実行し、前記ユーザの前記情報処理装置へのアクセスを許可するか否かを決定する決定手段、
前記対象物側にいるユーザとは別のユーザが操作する前記遠隔端末から前記投影装置の電源をオンにする命令を受信したか否かを判別する第１判別手段、
前記命令を受信したと判別された場合に、前記決定手段の決定に基づいて、前記情報処理装置へのアクセスが許可されているユーザがいるか否かを判別する第２判別手段、及び
前記情報処理装置へのアクセスが許可されているユーザがいると判別された場合に、前記遠隔端末から送信される情報を前記投影装置に送信する送信手段
として機能させることを特徴とするプログラム。
【請求項１０】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されると共に、前記対象物側にいるユーザを特定する第１ユーザ情報、当該第１ユーザ情報が所属するグループの情報、前記遠隔端末側にいるユーザを特定する第２ユーザ情報及び当該第２ユーザ情報が所属するグループの情報を含むデータベースを有するコンピュータを、
前記入力装置から入力された第１ユーザ情報の認証を実行し、前記ユーザの前記情報処理装置へのアクセスを許可するか否かを決定する決定手段、
前記対象物側にいるユーザとは別のユーザが操作する前記遠隔端末から前記投影装置の電源をオンにする命令及び前記第２ユーザ情報を受信したか否かを判別する第１判別手段、
前記命令及び前記第２ユーザ情報を受信したと判別された場合に、前記データベースに基づいて、前記決定手段の決定により前記情報処理装置へのアクセスが許可されているユーザの第１ユーザ情報が、前記受信された第２ユーザ情報と同一のグループに所属しているか否かを判別する第２判別手段、及び
前記第１ユーザ情報が、前記第２ユーザ情報と同一のグループに所属していると判別された場合に、前記投影装置の電源をオンにする電源制御手段
として機能させることを特徴とするプログラム。
【請求項１１】
遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、
前記入力装置から入力されたユーザ情報の認証を実行し、前記ユーザの前記情報処理装置へのアクセスを許可するか否かを決定する決定手段、
前記対象物側にいるユーザとは別のユーザが操作する前記遠隔端末から前記投影装置の電源をオンにする命令を受信したか否かを判別する第１判別手段、
前記命令を受信したと判別された場合に、前記決定手段の決定に基づいて、前記情報処理装置へのアクセスが許可されているユーザがいるか否かを判別する第２判別手段、
前記情報処理装置へのアクセスが許可されているユーザがいると判別された場合に、前記情報処理装置へのアクセスが許可されているユーザのリストを作成する作成手段、
当該作成されたリストを前記遠隔端末に送信する送信手段、
前記リストの送信後、前記遠隔端末から前記投影装置の電源をオンにする命令を維持する命令を受信したか否かを判別する第３判別手段、及び
前記投影装置の電源をオンにする命令を維持する命令を受信したと判別された場合に、前記投影装置の電源をオンにする電源制御手段
として機能させることを特徴とするプログラム。
【発明の詳細な説明】
【技術分野】
【０００１】
本発明は、情報処理装置及びプログラムに関する。
【背景技術】
【０００２】
従来より、ビデオカメラ及びプロジェクタが接続されているサーバ（例えばコンピュータ）と、ネットワークを介して当該サーバに接続される遠隔地のクライアント（例えばコンピュータ）とを備える遠隔指示システムが知られている（例えば、特許文献１、２参照）。
【０００３】
この遠隔指示システムでは、サーバに接続されているビデオカメラが対象物を撮影し、ネットワークを介して撮影画像をクライアントに送信する。クライアントは、クライアントに接続されている表示装置の表示画面に立体物を含む撮影画像を表示し、当該表示画面上にアノテーション画像（線、図形、文字）などが書き込まれると、当該アノテーション画像をネットワークを介してサーバに送信する。サーバは受信したアノテーション画像をプロジェクタに送信し、プロジェクタは受信したアノテーション画像を対象物を含む投影領域の適切な位置（これは、クライアントが、撮影画像の範囲内でアノテーション画像を書き込んだ位置に対応する）に投影する。
【特許文献１】米国特許公開２００４／００７０６７４号公報
【特許文献２】特開２００５−３３７５６号公報
【発明の開示】
【発明が解決しようとする課題】
【０００４】
上記遠隔指示システムでは、クライアントのユーザは、自由にサーバに接続されているプロジェクタの電源をオンすることが可能であるが、対象物周辺に誰がいるか分からずに、不用意にプロジェクタの電源をオンにすると、アノテーション画像が対象物に投影され、アノテーション画像を閲覧する権限がない人に当該アノテーション画像が閲覧されてしまう可能性がある。
【０００５】
本発明は、このような事情に鑑みてなされたものであり、その目的は、遠隔端末から送信される情報の漏洩を回避することができる情報処理装置及び制御プログラムを提供することにある。
【課題を解決するための手段】
【０００６】
上記目的を達成するため、請求項１の情報処理装置は、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、前記入力装置から入力されたユーザ情報の認証を実行し、前記ユーザの前記情報処理装置へのアクセスを許可するか否かを決定する決定手段と、前記対象物側にいるユーザとは別のユーザが操作する前記遠隔端末から前記投影装置の電源をオンにする命令を受信したか否かを判別する第１判別手段と、前記命令を受信したと判別された場合に、前記決定手段の決定に基づいて、前記情報処理装置へのアクセスが許可されているユーザがいるか否かを判別する第２判別手段と、前記情報処理装置へのアクセスが許可されているユーザがいると判別された場合に、前記投影装置の電源をオンにする電源制御手段とを備えることを特徴とする。
【０００７】
請求項２の情報処理装置は、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、前記入力装置から入力されたユーザ情報の認証を実行し、前記ユーザの前記情報処理装置へのアクセスを許可するか否かを決定する決定手段と、前記対象物側にいるユーザとは別のユーザが操作する前記遠隔端末から前記投影装置の電源をオンにする命令を受信したか否かを判別する第１判別手段と、前記命令を受信したと判別された場合に、前記決定手段の決定に基づいて、前記情報処理装置へのアクセスが許可されているユーザがいるか否かを判別する第２判別手段と、前記情報処理装置へのアクセスが許可されているユーザがいると判別された場合に、前記遠隔端末から送信される情報を前記投影装置に送信する送信手段とを備えることを特徴とする。
【０００８】
請求項３の情報処理装置は、請求項２に記載の情報処理装置において、前記送信手段は、前記情報処理装置へのアクセスが許可されているユーザがいないと判別された場合に、前記遠隔端末から送信される情報以外の情報を前記投影装置に送信することを特徴とする。
【０００９】
請求項４の情報処理装置は、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、前記対象物側にいるユーザを特定する第１ユーザ情報、当該第１ユーザ情報が所属するグループの情報、前記遠隔端末側にいるユーザを特定する第２ユーザ情報及び当該第２ユーザ情報が所属するグループの情報を含むデータベースを記憶する記憶手段と、前記入力装置から入力された第１ユーザ情報の認証を実行し、前記ユーザの前記情報処理装置へのアクセスを許可するか否かを決定する決定手段と、前記対象物側にいるユーザとは別のユーザが操作する前記遠隔端末から前記投影装置の電源をオンにする命令及び前記第２ユーザ情報を受信したか否かを判別する第１判別手段と、前記命令及び前記第２ユーザ情報を受信したと判別された場合に、前記データベースに基づいて、前記決定手段の決定により前記情報処理装置へのアクセスが許可されているユーザの第１ユーザ情報が、前記受信された第２ユーザ情報と同一のグループに所属しているか否かを判別する第２判別手段と、前記第１ユーザ情報が、前記第２ユーザ情報と同一のグループに所属していると判別された場合に、前記投影装置の電源をオンにする電源制御手段とを備えることを特徴とする。
【００１０】
請求項５の情報処理装置は、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続される情報処理装置であって、前記入力装置から入力されたユーザ情報の認証を実行し、前記ユーザの前記情報処理装置へのアクセスを許可するか否かを決定する決定手段と、前記対象物側にいるユーザとは別のユーザが操作する前記遠隔端末から前記投影装置の電源をオンにする命令を受信したか否かを判別する第１判別手段と、前記命令を受信したと判別された場合に、前記決定手段の決定に基づいて、前記情報処理装置へのアクセスが許可されているユーザがいるか否かを判別する第２判別手段と、前記情報処理装置へのアクセスが許可されているユーザがいると判別された場合に、前記情報処理装置へのアクセスが許可されているユーザのリストを作成する作成手段と、当該作成されたリストを前記遠隔端末に送信する送信手段と、前記リストの送信後、前記遠隔端末から前記投影装置の電源をオンにする命令を維持する命令を受信したか否かを判別する第３判別手段と、前記投影装置の電源をオンにする命令を維持する命令を受信したと判別された場合に、前記投影装置の電源をオンにする電源制御手段とを備えることを特徴とする。
【００１１】
請求項６の情報処理装置は、請求項１，４，５のいずれか１項に記載の情報処理装置において、前記情報処理装置へのアクセスが許可されているユーザの全てが、前記情報処理装置からログオフした場合に、前記電源制御手段は前記投影装置の電源をオフにすることを特徴とする。
【００１２】
請求項７の情報処理装置は、請求項６に記載の情報処理装置において、前記情報処理装置へのアクセスが許可されているユーザの全てが、前記情報処理装置からログオフした場合に、当該ユーザの全てが前記情報処理装置からログオフした旨の情報を前記遠隔端末に送信することを特徴とする。
【００１３】
請求項８のプログラムは、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、前記入力装置から入力されたユーザ情報の認証を実行し、前記ユーザの前記情報処理装置へのアクセスを許可するか否かを決定する決定手段、前記対象物側にいるユーザとは別のユーザが操作する前記遠隔端末から前記投影装置の電源をオンにする命令を受信したか否かを判別する第１判別手段、前記命令を受信したと判別された場合に、前記決定手段の決定に基づいて、前記情報処理装置へのアクセスが許可されているユーザがいるか否かを判別する第２判別手段、及び前記情報処理装置へのアクセスが許可されているユーザがいると判別された場合に、前記投影装置の電源をオンにする電源制御手段として機能させることを特徴とする。
【００１４】
請求項９のプログラムは、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、前記入力装置から入力されたユーザ情報の認証を実行し、前記ユーザの前記情報処理装置へのアクセスを許可するか否かを決定する決定手段、前記対象物側にいるユーザとは別のユーザが操作する前記遠隔端末から前記投影装置の電源をオンにする命令を受信したか否かを判別する第１判別手段、前記命令を受信したと判別された場合に、前記決定手段の決定に基づいて、前記情報処理装置へのアクセスが許可されているユーザがいるか否かを判別する第２判別手段、及び前記情報処理装置へのアクセスが許可されているユーザがいると判別された場合に、前記遠隔端末から送信される情報を前記投影装置に送信する送信手段として機能させることを特徴とする。
【００１５】
請求項１０のプログラムは、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されると共に、前記対象物側にいるユーザを特定する第１ユーザ情報、当該第１ユーザ情報が所属するグループの情報、前記遠隔端末側にいるユーザを特定する第２ユーザ情報及び当該第２ユーザ情報が所属するグループの情報を含むデータベースを有するコンピュータを、前記入力装置から入力された第１ユーザ情報の認証を実行し、前記ユーザの前記情報処理装置へのアクセスを許可するか否かを決定する決定手段、前記対象物側にいるユーザとは別のユーザが操作する前記遠隔端末から前記投影装置の電源をオンにする命令及び前記第２ユーザ情報を受信したか否かを判別する第１判別手段、前記命令及び前記第２ユーザ情報を受信したと判別された場合に、前記データベースに基づいて、前記決定手段の決定により前記情報処理装置へのアクセスが許可されているユーザの第１ユーザ情報が、前記受信された第２ユーザ情報と同一のグループに所属しているか否かを判別する第２判別手段、及び前記第１ユーザ情報が、前記第２ユーザ情報と同一のグループに所属していると判別された場合に、前記投影装置の電源をオンにする電源制御手段として機能させることを特徴とする。
【００１６】
請求項１１のプログラムは、遠隔端末から送信される情報を対象物及び背景を含む投影領域に投影する投影装置、当該対象物及び当該背景を含む投影領域を撮影する撮影装置及び前記対象物側にいるユーザを特定するユーザ情報を入力する入力装置に接続されるコンピュータを、前記入力装置から入力されたユーザ情報の認証を実行し、前記ユーザの前記情報処理装置へのアクセスを許可するか否かを決定する決定手段、前記対象物側にいるユーザとは別のユーザが操作する前記遠隔端末から前記投影装置の電源をオンにする命令を受信したか否かを判別する第１判別手段、前記命令を受信したと判別された場合に、前記決定手段の決定に基づいて、前記情報処理装置へのアクセスが許可されているユーザがいるか否かを判別する第２判別手段、前記情報処理装置へのアクセスが許可されているユーザがいると判別された場合に、前記情報処理装置へのアクセスが許可されているユーザのリストを作成する作成手段、当該作成されたリストを前記遠隔端末に送信する送信手段、前記リストの送信後、前記遠隔端末から前記投影装置の電源をオンにする命令を維持する命令を受信したか否かを判別する第３判別手段、及び前記投影装置の電源をオンにする命令を維持する命令を受信したと判別された場合に、前記投影装置の電源をオンにする電源制御手段として機能させることを特徴とする。
【発明の効果】
【００１７】
請求項１，８の発明によれば、対象物側にいるユーザに対して情報処理装置へのアクセスが許可されている場合に、投影装置の電源がオンになり、遠隔端末からの情報が投影されるので、遠隔端末から送信される情報の漏洩を回避することができる。
【００１８】
請求項２，９の発明によれば、情報処理装置へのアクセスが許可されているユーザがいる場合に、遠隔端末から送信される情報が投影装置に送信され、投影されるので、遠隔端末から送信される情報の漏洩を回避することができる。
【００１９】
請求項３の発明によれば、情報処理装置へのアクセスが許可されているユーザがいない場合には、遠隔端末から送信される情報以外の情報が投影装置に送信され、投影されるので、遠隔端末から送信される情報の漏洩を回避することができる。
【００２０】
請求項４，１０の発明によれば、対象物側にいるユーザが、遠隔端末側にいるユーザと同一のグループに所属している場合に、投影装置の電源がオンになり、遠隔端末からの情報が投影されるので、遠隔端末から送信される情報の漏洩を回避することができる。
【００２１】
請求項５，１１の発明によれば、遠隔端末側のユーザに、対象物側にいるユーザのリストを確認させてから、投影装置の電源がオンになり、遠隔端末からの情報が投影されるので、遠隔端末から送信される情報の漏洩を回避することができる。
【００２２】
請求項６の発明によれば、情報処理装置へのアクセスが許可されている対象物側にいるユーザがいなくなると、投影装置の電源がオフになるので、遠隔端末から送信される情報の漏洩を回避することができる。
【００２３】
請求項７の発明によれば、遠隔端末側のユーザは、対象物側にいるユーザがいなくなったことを知ることができる。
【発明を実施するための最良の形態】
【００２４】
以下、本発明の実施の形態について、図面を参照して説明する。
【００２５】
（第１の実施の形態）
図１は、本発明の実施の形態に係る情報処理装置を含む遠隔指示システムの構成を示す図である。
【００２６】
図１の遠隔指示システムは、サーバとして機能するパーソナルコンピュータ（ＰＣ）１（情報処理装置）、クライアントとして機能するＰＣ２（遠隔端末）を備えており、これらは、ネットワーク３を介して互いに接続されている。ＰＣ１には、プロジェクタ４（投影装置）、ビデオカメラ５（撮影装置）及び入力装置９が接続されている。プロジェクタ４は、電源４ａを有しており、この電源４ａのオン／オフは、ＰＣ１により制御される。また、プロジェクタ４は、ＰＣ１からの制御コマンドに基づいて、対象物８及びスクリーン１０に対して、ハーフミラー６を介してアノテーション画像７（注釈画像）等を投影する。さらに、プロジェクタ４は、初期状態では、全体が黒一色の黒画像を対象物８及びスクリーン１０に対して投影する。尚、アノテーション画像７は、線、文字、記号、図形、色、フォント（書体）等のあらゆる態様の画像を含む。
【００２７】
ビデオカメラ５は、対象物８を含むスクリーン１０の反射画像をハーフミラー６を介して撮影し、撮影画像をＰＣ１に出力する。入力装置９は、対象物８側のユーザの情報をＰＣ１に入力するための装置である。入力されたユーザの情報はＰＣ１で認証される。入力装置９としては、パスワードやユーザＩＤをキー入力するキー入力装置、指紋センサ、顔認証に必要とされるカメラ、パスワードやユーザＩＤを含むＲＦＩＤタグを読み取るためのタグ読取装置、パスワードやユーザＩＤを含むバーコードを読み取るためのバーコード読取装置などがある。
【００２８】
ＰＣ１は、ビデオカメラ５により撮影された撮影画像をネットワーク３を介してＰＣ２に出力する。ＰＣ２は、表示部２０５に接続されており、表示部２０５は、撮影画像の表示領域１２及びユーザインターフェース（ＵＩ）１４を表示する。尚、ＰＣ２は、表示部２０５を備える一体型のパーソナルコンピュータで構成してもよい。
【００２９】
ＵＩ１４は、ペン、テキスト、及び消去などのボタン群と、線種や色種のアイコンとを含む。表示領域１２には、ビデオカメラ５で撮影された撮影画像が表示される。図１においては、対象物８を含むスクリーン１０をビデオカメラ５により撮影した撮影画像が表示領域１２に表示されている。
【００３０】
例えば、ＵＩ１４のペンボタンが押下されて、表示領域１２内の対象物８上に図形等が記載されると、当該図形の情報（具体的には、当該図形を示す、表示領域１２における座標（ｘ、ｙ））はＰＣ２からＰＣ１に出力される。ＰＣ１は、当該図形の情報をプロジェクタ４の座標の情報に変換し、プロジェクタ４に出力する。プロジェクタ４は当該変換された図形の情報に基づいて対象物８上に当該図形を投影する。尚、撮影画像は表示部２０５の表示領域１２に表示されるため、撮影画像における座標（ｘ、ｙ）は、表示領域１２における座標（ｘ、ｙ）と一致する。
【００３１】
また、ＰＣ２は、ＰＣ１に対して制御コマンドを出力し、プロジェクタ４及びビデオカメラ５の動作（例えば、ビデオカメラ５の撮影角度や撮影画像の明るさ、及びプロジェクタ４の投影画像の明るさなど）を制御することができる。
【００３２】
尚、同図においては、クライアントは、ＰＣ２の１台が記載されているが、遠隔指示システムは、複数のクライアント（ＰＣ）を備えていてもよい。また、プロジェクタ４をＰＣ１に接続し、ビデオカメラ５を不図示の他のＰＣに接続するようにしてもよい。この場合、ビデオカメラ５の撮影画像は、当該他のＰＣを介してＰＣ２に出力される。
【００３３】
図２は、ＰＣ１〜２の機能構成を示すブロック図である。
【００３４】
ＰＣ１は、装置全体を制御すると共にプロジェクタ４、ビデオカメラ５及び入力装置９の動作を制御する制御部１０１と、ネットワーク３を介してＰＣ２と情報やデータの送受信を行う送受信部１０２と、制御プログラム、データ及び情報等を記憶する記憶部１０３と、プロジェクタ４、ビデオカメラ５及び入力装置９と接続するためのインターフェイス（ＩＦ）部１０４とを備えている。制御部１０１は、送受信部１０２、記憶部１０３、及びＩＦ部１０４に接続されており、さらにＩＦ部１０４を介してプロジェクタ４、ビデオカメラ５及び入力装置９に接続されている。また、制御部１０１は、ＩＦ部１０４を介してプロジェクタ４の電源４ａのオン／オフを制御する。
【００３５】
記憶部１０３は、図３に示すデータベースを備えている。このデータベースは、ユーザＩＤ、パスワード、ユーザ名及びグループの欄を含む。ユーザＩＤの欄には、各ユーザに一意に割り当てられたＩＤが記録され、パスワードの欄には、各ユーザに一意に割り当てられた英数字が記録され、ユーザ名の欄には、各ユーザの氏名が記録され、グループの欄には、各ユーザが所属するグループ名が記録されている。
【００３６】
制御部１０１は、入力装置９又はＰＣ２からユーザＩＤ及びパスワードが入力されたときに、記憶部１０３に記憶されたデータベースと当該入力されたユーザＩＤ及びパスワードを対比してユーザ認証を実行する。ユーザ認証で当該ユーザのＰＣ１へのアクセスが許可されると、制御部１０１は、ＩＦ部１０４を介してプロジェクタ４の電源４ａのオンにする。
【００３７】
入力装置９が、指紋センサ又は顔認証に必要とされるカメラである場合には、データベースには、上記のデータベースの情報に加えて、各ユーザの指紋の情報又は各ユーザの顔の特徴を示す情報が登録される。
【００３８】
尚、ＰＣ１は、マウスやキーボードなどで構成される操作部１０５と、撮影画像を表示する表示部１０６とをさらに備えていてもよい。
【００３９】
ＰＣ２は、装置全体を制御する制御部２０１と、ネットワーク３を介してＰＣ１と情報やデータの送受信を行う送受信部２０２と、制御プログラム、データ及び情報等を記憶する記憶部２０３と、マウスやキーボードなどで構成される操作部２０４と、表示部２０５とを備えている。制御部２０１は、送受信部２０２、記憶部２０３、操作部２０４、及び表示部２０５に接続されている。
【００４０】
図４は、ＰＣ１のハードウエア構成を示すブロック図である。
【００４１】
ＰＣ１は、装置全体を制御するＣＰＵ２１、制御プログラムを備えるＲＯＭ２２、ワーキングエリアとして機能するＲＡＭ２３、各種の情報やプログラムを備えるハードディスクドライブ（ＨＤＤ）２４、他のコンピュータと接続するためのネットワークインターフェース２６、及び不図示のＵＳＢ機器と接続するためのＵＳＢ（universal serial bus）インターフェース２８を備えている。ＣＰＵ２１はシステムバス２９を介してＲＯＭ２２、ＲＡＭ２３、ハードディスクドライブ（ＨＤＤ）２４、ネットワークインターフェース２６、及びＵＳＢインターフェース２８に接続されている。
【００４２】
尚、ＰＣ１は、マウス及びキーボード２５、液晶モニタ又はＣＲＴで構成されるディスプレイ２７を備えていてもよい。図２の制御部１０１は、制御プログラムに従って各種の処理を実行するＣＰＵ２１に相当する。送受信部１０２は、ネットワークインターフェース２６に相当し、記憶部１０３は、ハードディスクドライブ（ＨＤＤ）２４に相当する。ＩＦ部１０４は、ＵＳＢインターフェース２８に相当する。操作部１０５は、マウス及びキーボード２５に相当し、表示部１０６は、ディスプレイ２７に相当する。
【００４３】
ＰＣ２は、ＰＣ１と同様に、図４に示す構成を有している。
【００４４】
図５（Ａ）は、ＰＣ１で実行されるプロジェクタ４の電源制御処理を示すフローチャートである。本処理の初期状態では、プロジェクタ４の電源４ａはオフであるとする。
【００４５】
まず、ＰＣ１の制御部１０１は、入力装置９から入力されたユーザＩＤ及びパスワードに従って対象物８側のユーザの認証を実行し、対象物８側のユーザのＰＣ１へのアクセスを許可するか否かを決定する（ステップＳ１１）。
【００４６】
次いで、ＰＣ１の制御部１０１は、送受信部１０２がＰＣ２からプロジェクタ４の電源４ａをオンにする命令を受信したか否かを判別する（ステップＳ１２）。
【００４７】
ステップＳ１２でＮＯの場合には、本処理を終了する。一方、ステップＳ１２でＹＥＳの場合には、ＰＣ１の制御部１０１は、ステップＳ１１の決定に基づいて、ＰＣ１へのアクセスが許可されている対象物８側のユーザがいるか否かを判別する（ステップＳ１３）。
【００４８】
ステップＳ１３でＮＯの場合は、本処理を終了する。一方、ステップＳ１３でＹＥＳの場合は、ＰＣ１の制御部１０１は、プロジェクタ４の電源４ａをオンにして（ステップＳ１４）、本処理を終了する。
【００４９】
このように、本電源制御処理によれば、対象物８側にいるユーザに対してＰＣ１へのアクセスが許可されている場合に、プロジェクタ４の電源４ａがオンになり、遠隔端末であるＰＣ２からのアノテーション画像が投影されるので、ＰＣ２から送信される情報の漏洩を回避することができる。
【００５０】
図５（Ｂ）は、ＰＣ１で実行されるプロジェクタ４の画像投影処理を示すフローチャートである。本処理の初期状態では、プロジェクタ４の電源４ａはオフであるとし、図５（Ａ）の処理と異なる処理のみ説明する。
【００５１】
ステップＳ１３でＮＯの場合は、ＰＣ１の制御部１０１は、プロジェクタ４がＰＣ２から受信するアノテーション画像を対象物８に投影しないようにするため、ＩＦ部１０４を介してプロジェクタ４に黒画像又はランダムに変化する画像を送信して（ステップＳ１６）、本処理を終了する。この場合、プロジェクタ４は黒画像又はランダムに変化する画像を対象物８に投影する。尚、ステップＳ１４で、プロジェクタ４に送信する情報は、黒画像又はランダムに変化する画像に限定されるものではなく、ＰＣ２から受信するアノテーション画像以外の情報であればよい。
【００５２】
一方、ステップＳ１３でＹＥＳの場合は、ＰＣ１の制御部１０１は、ＰＣ２から受信するアノテーション画像をＩＦ部１０４を介してプロジェクタ４に送信し（ステップＳ１５）、本処理を終了する。この場合、プロジェクタ４はアノテーション画像を対象物８に投影する。
【００５３】
このように、本画像投影処理では、ＰＣ１へのアクセスが許可されている対象物８側のユーザがいる場合に、ＰＣ２から送信されるアノテーション画像が投影されるので、ＰＣ２から送信される情報の漏洩を回避することができる。また、ＰＣ１へのアクセスが許可されている対象物８側のユーザがいない場合には、ＰＣ２から送信されるアノテーション画像以外の黒画像又はランダムに変化する画像が投影されるので、ＰＣ２から送信されるアノテーション画像の漏洩を回避することができる。
【００５４】
図６は、ＰＣ１で実行されるプロジェクタ４の電源制御処理の第１の変形例を示すフローチャートである。本処理の初期状態では、プロジェクタ４の電源４ａはオフであるとする。
【００５５】
まず、ＰＣ１の制御部１０１は、入力装置９から入力されたユーザＩＤ及びパスワードに従って対象物８側のユーザの認証を実行し、対象物８側のユーザのＰＣ１へのアクセスを許可するか否かを決定する（ステップＳ２１）。
【００５６】
次いで、ＰＣ１の制御部１０１は、送受信部１０２がＰＣ２からプロジェクタ４の電源４ａをオンにする命令及びユーザＩＤを受信したか否かを判別する（ステップＳ２２）。
【００５７】
ステップＳ２２でＮＯの場合には、本処理を終了する。一方、ステップＳ２２でＹＥＳの場合には、ＰＣ１の制御部１０１は、図３のデータベースに基づいて、ＰＣ１へのアクセスが許可されている対象物８側のユーザのユーザＩＤがＰＣ２から受信したユーザＩＤと同一のグループに所属しているか否かを判別する（ステップＳ２３）。
【００５８】
ステップＳ２３でＮＯの場合には、本処理を終了する。一方、ステップＳ２３でＹＥＳの場合は、ＰＣ１の制御部１０１は、プロジェクタ４の電源４ａをオンにして（ステップＳ２４）、本処理を終了する。
【００５９】
このように、本電源制御処理によれば、対象物８側にいるユーザが、ＰＣ２側のユーザと同一のグループに所属している場合に、プロジェクタ４の電源４ａがオンになり、ＰＣ２からのアノテーション画像が投影されるので、ＰＣ２から送信されるアノテーション画像の漏洩を回避することができる。また、対象物８側にいるユーザのＰＣ２から送信されるアノテーション画像へのアクセス権限を図３のデータベースのグループの欄で管理することができる。
【００６０】
図７は、ＰＣ１で実行されるプロジェクタ４の電源制御処理の第２の変形例を示すフローチャートである。本処理の初期状態では、プロジェクタ４の電源４ａはオフであるとする。
【００６１】
まず、ＰＣ１の制御部１０１は、入力装置９から入力されたユーザＩＤ及びパスワードに従って対象物８のユーザの認証を実行し、対象物８のユーザのＰＣ１へのアクセスを許可するか否かを決定する（ステップＳ３１）。
【００６２】
次いで、ＰＣ１の制御部１０１は、送受信部１０２がＰＣ２からプロジェクタ４の電源４ａをオンにする命令を受信したか否かを判別する（ステップＳ３２）。
【００６３】
ステップＳ３２でＮＯの場合には、本処理を終了する。一方、ステップＳ３２でＹＥＳの場合には、ＰＣ１の制御部１０１は、ステップＳ３１の決定に基づいて、ＰＣ１へのアクセスが許可されている対象物８側のユーザがいるか否かを判別する（ステップＳ３３）。
【００６４】
ステップＳ３３でＮＯの場合には、本処理を終了する。一方、ステップＳ３３でＹＥＳの場合には、ＰＣ１の制御部１０１は、ＰＣ１へのアクセスを許可しているユーザのリストを作成し、ＰＣ２に送信する（ステップＳ３４）。
【００６５】
ＰＣ２の送受信部２０２が、当該作成されたユーザリストを受信し、表示部２０５が、受信したユーザリスト、「ＯＫ」ボタン及び「キャンセル」ボタンを含むダイヤログボックスを表示する（ステップＳ３５）。図８に表示部２０５に表示されるダイヤログボックスの一例を示す。図８のダイヤログボックスの「ＯＫ」ボタンが押下されると、ＰＣ２の制御部２０１は、プロジェクタ４の電源４ａをオンにする命令を維持する命令をＰＣ１の制御部１０１に送信する。一方、図８のダイヤログボックスの「キャンセル」ボタンが押下されると、ＰＣ２の制御部２０１は、プロジェクタ４の電源４ａをオンにする命令を中止する命令をＰＣ１の制御部１０１に送信する。
【００６６】
ＰＣ１の制御部１０１は、ダイヤログボックスの「ＯＫ」ボタンが押下され、ＰＣ２の制御部２０１から、プロジェクタ４の電源４ａをオンにする命令を維持する命令を受信したか否かを判別する（ステップＳ３６）。
【００６７】
ステップＳ３５でＹＥＳの場合には、ＰＣ１の制御部１０１は、プロジェクタ４の電源４ａをオンにして（ステップＳ３７）、本処理を終了する。一方、ステップＳ３５でＮＯの場合、即ちＰＣ１の制御部１０１がＰＣ２の制御部２０１からプロジェクタ４の電源４ａをオンにする命令を中止する命令を受信した場合には、本処理を終了する。
【００６８】
このように、本電源制御処理では、ＰＣ２側のユーザに、対象物８側にいるユーザのリストを確認させてから、プロジェクタ４の電源４ａがオンになり、ＰＣ２からのアノテーション画像が投影されるので、ＰＣ２から送信されるアノテーション画像の漏洩を回避することができる。
【００６９】
図９（Ａ），（Ｂ）は、図７の電源制御処理の変形例を示すフローチャートである。図７のステップと同一のステップには、同一の番号を付し、その説明を省略する。
【００７０】
図９（Ａ）において、ステップＳ３３でＹＥＳの場合には、ＰＣ１の制御部１０１は、前回のダイヤログボックスの表示のときに、キャンセルボタンが押下されたか否かを判別する（ステップＳ５１）。ここでは、ＰＣ１の制御部１０１は、プロジェクタ４の電源４ａをオンにする命令を中止する命令をＰＣ２から受信しているか否かにより判別する。
【００７１】
ステップＳ５１でＮＯの場合は、ＰＣ１の制御部１０１は、既にＰＣ２のユーザによってユーザリストが承認されて、プロジェクタ４の電源４ａがオンなので何もせず、ステップＳ３２に戻る。ステップＳ５１でＹＥＳの場合は、まだプロジェクタ４の電源４ａがオフなので、ステップＳ３４に進む。
【００７２】
図９（Ｂ）において、ステップＳ３３でＹＥＳの場合には、ＰＣ１の制御部１０１は、前回のダイヤログボックスの表示のときにキャンセルボタンが押下されてから一定時間内であるか、又は前回のダイヤログボックスの表示のときから新たにログインしたユーザがいるか否かを判別する（ステップＳ５２）。
【００７３】
ステップＳ５２でＹＥＳの場合には、再度ＰＣ２の表示部２０５にユーザリストを表示させるため、ステップＳ３４に進む。ステップＳ５２でＮＯの場合には、再度ＰＣ２の表示部２０５にユーザリストを表示させる必要がなく、プロジェクタ４の電源４ａをオフのままにするため、ステップＳ３２に戻る。
【００７４】
図１０は、ＰＣ１へのアクセスを許可しているユーザが全てログオフした場合に、ＰＣ１で実行される電源制御処理を示すフローチャートである。本処理の初期状態では、プロジェクタ４の電源４ａはオンであるとする。
【００７５】
まず、ＰＣ１の制御部１０１は、入力装置９を介して対象物８のユーザが全てログオフしたか否かを判別する（ステップＳ４１）。ＰＣ１の制御部１０１は、上記ユーザリスト内に、登録されたユーザが一人も居なくなったときに、対象物８側のユーザが全てログオフしたと判別する。
【００７６】
ステップＳ４１でＮＯの場合は、当該判別処理を繰り返す。一方、ステップＳ４１でＹＥＳの場合は、ＰＣ１の制御部１０１は、対象物８側のユーザが全てログオフした旨の情報をＰＣ２に送信する（ステップＳ４２）。ＰＣ２の送受信部２０２が対象物８側のユーザが全てログオフした旨の情報を受信し、表示部２０５が当該情報を表示する。
【００７７】
次いで、ＰＣ１の制御部１０１は、プロジェクタ４の電源４ａをオフにして（ステップＳ４３）、本処理を終了する。
【００７８】
このように、本電源制御処理では、ＰＣ１へのアクセスが許可されている対象物８側にいるユーザがいなくなると、プロジェクタ４の電源４ａをオフにするので、ＰＣ２から送信されるアノテーション画像の漏洩を回避することができる。また、対象物８側のユーザが全てログオフした旨の情報がＰＣ２に送信されるので、ＰＣ２側のユーザは、対象物８側にいるユーザがいなくなったことを知ることができる。
【００７９】
本実施の形態では、ＰＣ１の制御部１０１は、ＰＣ１がＰＣ２（遠隔側）からプロジェクタ４の電源４ａをオンにする命令を受信すると、プロジェクタ４の電源４ａをオンにする制御を実行したが、ＰＣ２から新しいアノテーション画像を受信したときに、プロジェクタ４の電源４ａをオンにする制御を実行してもよい。即ち、ＰＣ２における新しいアノテーション画像の追記を電源オンの命令として利用してもよい。
【００８０】
請求項１の決定手段、第１判別手段、第２判別手段及び電源制御手段は、例えば、図５（Ａ）の電源制御処理を実行するＰＣ１の制御部１０１に対応する。請求項２の決定手段、第１判別手段及び第２判別手段は、例えば、図５（Ｂ）の画像投影処理を実行するＰＣ１の制御部１０１に対応する。請求項２の送信手段は、例えば、図５（Ｂ）の電源制御処理を実行するＰＣ１の制御部１０１及びＩＦ部１０４に対応する。請求項４の記憶手段は、例えば、記憶部１０３に相当する。請求項４の決定手段、第１判別手段、第２判別手段及び電源制御手段は、例えば、図６の電源制御処理を実行するＰＣ１の制御部１０１に対応する。請求項５の決定手段、第１判別手段、第２判別手段、作成手段、第３判別手段及び電源制御手段は、例えば、図７の電源制御処理を実行するＰＣ１の制御部１０１に対応する。請求項５の送信手段は、例えば、図７の電源制御処理を実行するＰＣ１の制御部１０１及びＩＦ部１０４に対応する。
【００８１】
尚、ＰＣ１〜ＰＣ２の機能を実現するためのソフトウェアのプログラムが記録されている記録媒体を、各ＰＣに供給し、各ＰＣのＣＰＵが記憶媒体に格納されたプログラムを読み出し実行することによっても、上記実施の形態と同様の効果を奏する。プログラムを供給するための記憶媒体としては、例えば、ＣＤ−ＲＯＭ、ＤＶＤ、又はＳＤカードなどがある。
【００８２】
また、各ＰＣのＣＰＵが、各ＰＣの機能を実現するためのソフトウェアのプログラムを実行することによっても、上記実施の形態と同様の効果を奏する。
【００８３】
なお、本発明は、上述した実施の形態に限定されるものではなく、その要旨を逸脱しない範囲内で種々変形して実施することが可能である。
【図面の簡単な説明】
【００８４】
【図１】本発明の実施の形態に係る情報処理装置を含む遠隔指示システムの構成を示す図である。
【図２】ＰＣ１〜２の機能構成を示すブロック図である。
【図３】記憶部１０３に記憶されるデータベースの一例を示す図である。
【図４】ＰＣ１のハードウエア構成を示すブロック図である。
【図５】（Ａ）は、ＰＣ１で実行されるプロジェクタ４の電源制御処理を示すフローチャートであり、（Ｂ）は、ＰＣ１で実行されるプロジェクタ４の画像投影処理を示すフローチャートである。
【図６】ＰＣ１で実行されるプロジェクタ４の電源制御処理の第１の変形例を示すフローチャートである。
【図７】ＰＣ１で実行されるプロジェクタ４の電源制御処理の第２の変形例を示すフローチャートである。
【図８】表示部２０５に表示されるダイヤログボックスの一例を示す図である。
【図９】（Ａ），（Ｂ）は、図７の電源制御処理の変形例を示すフローチャートである。
【図１０】ＰＣ１へのアクセスを許可しているユーザが全てログオフした場合に、ＰＣ１で実行される電源制御処理を示すフローチャートである。
【符号の説明】
【００８５】
１  ＰＣ（情報処理装置）
２  ＰＣ（遠隔端末）
３  ネットワーク
４  プロジェクタ（投影装置）
５  ビデオカメラ（撮影装置）
６  ハーフミラー
１０１  制御部
１０２  送受信部
１０３  記憶部
１０４  ＩＦ部
１０５  操作部
１０６  表示部
２０１  制御部
２０２  送受信部
２０３  記憶部
２０４  操作部
２０５  表示部
【図１】
0005239271.tif 000002
【図２】
0005239271.tif 000003
【図３】
0005239271.tif 000004
【図４】
0005239271.tif 000005
【図５】
0005239271.tif 000006
【図６】
0005239271.tif 000007
【図７】
0005239271.tif 000008
【図８】
0005239271.tif 000009
【図９】
0005239271.tif 000010
【図１０】
0005239271.tif 000011